【手続補正書】
【提出日】平成18年12月4日(2006.12.4)
【手続補正１】
【補正対象書類名】明細書
【補正対象項目名】特許請求の範囲
【補正方法】変更
【補正の内容】
【特許請求の範囲】
【請求項１】
（２Ｓ）−１−（１，２−ジオキソ−３，３−ジメチルペンチル）−２−ヒドロキシメチルピロリジン；
（２Ｓ）−１−（１，２−ジオキソ−３，３−ジメチルペンチル）−２−ピロリジンテトラゾール；
（２Ｓ）−１−（１，２−ジオキソ−３，３−ジメチルペンチル）−２−ピロリジンカルボニトリル；
（２Ｓ）−１−（１，２−ジオキソ−３，３−ジメチルペンチル）−２−アミノカルボニルピペリジン；
［１−（３，３−ジメチル−２−オキソペンタノイル）ピロリジン−２−イル］−Ｎ−（２−チエニルカルボニルアミノ）−ホルムアミド；
３，３−ジメチル−１−（２−［（４−ニトロフェノキシ）メチル］ピロリジニル）ペンタン−１，２−ジオン；
２−［１−（３，３−ジメチル−２−オキソペンタノイル）ピロリジン−２−イル］エタンニトリル；
１−［２−（３−エチル（１，２，４−オキサジアゾール−５−イル））ピロリジニル］−３，３−ジメチルペンタン−１，２−ジオン；
１−｛２−［３−（４−フルオロフェニル）（１，２，４−オキサジアゾール−５−イル）］ピロリジニル｝−３，３−ジメチルペンタン−１，２−ジオン；
３，３−ジメチル−１−［２−（３−メチル（１，２，４−オキサジアゾール−５−イル））ピロリジニル］ペンタン−１，２−ジオン；
［１−（３，３−ジメチル−２−オキソペンタノイル）ピロリジン−２−イル］−Ｎ−［（メチルスルホニル）アミノ］−ホルムアミド；
［１−（３，３−ジメチル−２−オキソペンタノイル）ピロリジン−２−イル］−Ｎ−｛［（４−メチルフェニル）スルホニル］−アミノ｝ホルムアミド；
［１−（３，３−ジメチル−２−オキソペンタノイル）ピロリジン−２−イル］−Ｎ−｛［（４−フルオロフェニル）スルホニル］−アミノ｝ホルムアミド；
（２Ｓ）−３，３−ジメチル−１−［２−（５−スルホニル（４Ｈ−１，２，４−トリアゾール−３−イル））ピロリジニル］−ペンタン−１，２−ジオン；
（２Ｓ）−３，３−ジメチル−１−［２−（ピロリジニルメチル）ピロリジニル］−ペンタン−１，２−ジオン；
（２Ｓ）−Ｎ−｛（アミノチオキソメチル）アミノ｝［１−（３，３−ジメチル−２−オキソペンタノイル）ピロリジン−２−イル］ホルムアミド；
（２Ｓ）−１−［２−（ベンゾトリアゾール−１−イルカルボニル）ピロリジニル］−３，３−ジメチルペンタン−１，２−ジオン；
Ｎ−アミノ−２−［２−（Ｎ−アミノカルバモイル）ピロリジニル］−２−オキソエタンアミド；
２−［１−（３，３−ジメチル−２−オキソペンタノイル）−２−ピペリジル］酢酸；
１−（２−（［４−（２Ｈ−ベンゾ［３，４−ｄ］１，３−ジオキソレン−５−イルメチル）ピペラジニル］カルボニル）ピロリジニル）−３，３−ジメチルペンタン−１，２−ジオン；および
１−（２−（｛４−［ビス（４−フルオロフェニル）メチル］ピペラジニル｝カルボニル）ピロリジニル）−３，３−ジメチルペンタン−１，２−ジオン；
から選択される化合物。
【請求項２】
ａ）有効な量の、
（２Ｓ）−１−（１，２−ジオキソ−３，３−ジメチルペンチル）−２−ヒドロキシメチルピロリジン；
（２Ｓ）−１−（１，２−ジオキソ−３，３−ジメチルペンチル）−２−ピロリジンテトラゾール；
（２Ｓ）−１−（１，２−ジオキソ−３，３−ジメチルペンチル）−２−ピロリジンカルボニトリル；
（２Ｓ）−１−（１，２−ジオキソ−３，３−ジメチルペンチル）−２−アミノカルボニルピペリジン；
［１−（３，３−ジメチル−２−オキソペンタノイル）ピロリジン−２−イル］−Ｎ−（２−チエニルカルボニルアミノ）−ホルムアミド；
３，３−ジメチル−１−（２−［（４−ニトロフェノキシ）メチル］ピロリジニル）ペンタン−１，２−ジオン；
２−［１−（３，３−ジメチル−２−オキソペンタノイル）ピロリジン−２−イル］エタンニトリル；
１−［２−（３−エチル（１，２，４−オキサジアゾール−５−イル））ピロリジニル］−３，３−ジメチルペンタン−１，２−ジオン；
１−｛２−［３−（４−フルオロフェニル）（１，２，４−オキサジアゾール−５−イル）］ピロリジニル｝−３，３−ジメチルペンタン−１，２−ジオン；
３，３−ジメチル−１−［２−（３−メチル（１，２，４−オキサジアゾール−５−イル））ピロリジニル］ペンタン−１，２−ジオン；
［１−（３，３−ジメチル−２−オキソペンタノイル）ピロリジン−２−イル］−Ｎ−［（メチルスルホニル）アミノ］−ホルムアミド；
［１−（３，３−ジメチル−２−オキソペンタノイル）ピロリジン−２−イル］−Ｎ−｛［（４−メチルフェニル）スルホニル］−アミノ｝ホルムアミド；
［１−（３，３−ジメチル−２−オキソペンタノイル）ピロリジン−２−イル］−Ｎ−｛［（４−フルオロフェニル）スルホニル］−アミノ｝ホルムアミド；
（２Ｓ）−３，３−ジメチル−１−［２−（５−スルホニル（４Ｈ−１，２，４−トリアゾール−３−イル））ピロリジニル］−ペンタン−１，２−ジオン；
（２Ｓ）−３，３−ジメチル−１−［２−（ピロリジニルメチル）ピロリジニル］−ペンタン−１，２−ジオン；
（２Ｓ）−Ｎ−｛（アミノチオキソメチル）アミノ｝［１−（３，３−ジメチル−２−オキソペンタノイル）ピロリジン−２−イル］ホルムアミド；
（２Ｓ）−１−［２−（ベンゾトリアゾール−１−イルカルボニル）ピロリジニル］−３，３−ジメチルペンタン−１，２−ジオン；
Ｎ−アミノ−２−［２−（Ｎ−アミノカルバモイル）ピロリジニル］−２−オキソエタンアミド；
２−［１−（３，３−ジメチル−２−オキソペンタノイル）−２−ピペリジル］酢酸；
１−（２−（［４−（２Ｈ−ベンゾ［３，４−ｄ］１，３−ジオキソレン−５−イルメチル）ピペラジニル］カルボニル）ピロリジニル）−３，３−ジメチルペンタン−１，２−ジオン；および
１−（２−（｛４−［ビス（４−フルオロフェニル）メチル］ピペラジニル｝カルボニル）ピロリジニル）−３，３−ジメチルペンタン−１，２−ジオン；
から選択される化合物、および
ｂ）製薬学上許容し得る担体、
を含む医薬組成物。
【請求項３】
さらに、追加の神経栄養性因子を包含することを特徴とする請求項２に記載の医薬組成物。
【請求項４】
前記追加の神経栄養性因子が、神経栄養性成長因子、脳由来成長因子、膠由来成長因子、繊毛神経栄養性因子、インスリン成長因子およびその活性切断誘導体、酸性線維芽細胞成長因子、塩基性線維芽細胞成長因子、血小板由来成長因子、ニューロトロピン−３およびニューロトロピン４／５から選択される請求項３に記載の医薬組成物。
【請求項５】
治療的に有効な量の、
（２Ｓ）−１−（１，２−ジオキソ−３，３−ジメチルペンチル）−２−ヒドロキシメチルピロリジン；
（２Ｓ）−１−（１，２−ジオキソ−３，３−ジメチルペンチル）−２−ピロリジンテトラゾール；
（２Ｓ）−１−（１，２−ジオキソ−３，３−ジメチルペンチル）−２−ピロリジンカルボニトリル；
（２Ｓ）−１−（１，２−ジオキソ−３，３−ジメチルペンチル）−２−アミノカルボニルピペリジン；
［１−（３，３−ジメチル−２−オキソペンタノイル）ピロリジン−２−イル］−Ｎ−（２−チエニルカルボニルアミノ）−ホルムアミド；
３，３−ジメチル−１−（２−［（４−ニトロフェノキシ）メチル］ピロリジニル）ペンタン−１，２−ジオン；
２−［１−（３，３−ジメチル−２−オキソペンタノイル）ピロリジン−２−イル］エタンニトリル；
１−［２−（３−エチル（１，２，４−オキサジアゾール−５−イル））ピロリジニル］−３，３−ジメチルペンタン−１，２−ジオン；
１−｛２−［３−（４−フルオロフェニル）（１，２，４−オキサジアゾール−５−イル）］ピロリジニル｝−３，３−ジメチルペンタン−１，２−ジオン；
３，３−ジメチル−１−［２−（３−メチル（１，２，４−オキサジアゾール−５−イル））ピロリジニル］ペンタン−１，２−ジオン；
［１−（３，３−ジメチル−２−オキソペンタノイル）ピロリジン−２−イル］−Ｎ−［（メチルスルホニル）アミノ］−ホルムアミド；
［１−（３，３−ジメチル−２−オキソペンタノイル）ピロリジン−２−イル］−Ｎ−｛［（４−メチルフェニル）スルホニル］−アミノ｝ホルムアミド；
［１−（３，３−ジメチル−２−オキソペンタノイル）ピロリジン−２−イル］−Ｎ−｛［（４−フルオロフェニル）スルホニル］−アミノ｝ホルムアミド；
（２Ｓ）−３，３−ジメチル−１−［２−（５−スルホニル（４Ｈ−１，２，４−トリアゾール−３−イル））ピロリジニル］−ペンタン−１，２−ジオン；
（２Ｓ）−３，３−ジメチル−１−［２−（ピロリジニルメチル）ピロリジニル］−ペンタン−１，２−ジオン；
（２Ｓ）−Ｎ−｛（アミノチオキソメチル）アミノ｝［１−（３，３−ジメチル−２−オキソペンタノイル）ピロリジン−２−イル］ホルムアミド；
（２Ｓ）−１−［２−（ベンゾトリアゾール−１−イルカルボニル）ピロリジニル］−３，３−ジメチルペンタン−１，２−ジオン；
Ｎ−アミノ−２−［２−（Ｎ−アミノカルバモイル）ピロリジニル］−２−オキソエタンアミド；
２−［１−（３，３−ジメチル−２−オキソペンタノイル）−２−ピペリジル］酢酸；
１−（２−（［４−（２Ｈ−ベンゾ［３，４−ｄ］１，３−ジオキソレン−５−イルメチル）ピペラジニル］カルボニル）ピロリジニル）−３，３−ジメチルペンタン−１，２−ジオン；および
１−（２−（｛４−［ビス（４−フルオロフェニル）メチル］ピペラジニル｝カルボニル）ピロリジニル）−３，３−ジメチルペンタン−１，２−ジオン；
から選択される化合物を含む、動物の病気を治療するための医薬組成物。
【請求項６】
治療的に有効な量の、
（２Ｓ）−１−（１，２−ジオキソ−３，３−ジメチルペンチル）−２−ヒドロキシメチルピロリジン；
（２Ｓ）−１−（１，２−ジオキソ−３，３−ジメチルペンチル）−２−ピロリジンテトラゾール；
（２Ｓ）−１−（１，２−ジオキソ−３，３−ジメチルペンチル）−２−ピロリジンカルボニトリル；
（２Ｓ）−１−（１，２−ジオキソ−３，３−ジメチルペンチル）−２−アミノカルボニルピペリジン；
［１−（３，３−ジメチル−２−オキソペンタノイル）ピロリジン−２−イル］−Ｎ−（２−チエニルカルボニルアミノ）−ホルムアミド；
３，３−ジメチル−１−（２−［（４−ニトロフェノキシ）メチル］ピロリジニル）ペンタン−１，２−ジオン；
２−［１−（３，３−ジメチル−２−オキソペンタノイル）ピロリジン−２−イル］エタンニトリル；
１−［２−（３−エチル（１，２，４−オキサジアゾール−５−イル））ピロリジニル］−３，３−ジメチルペンタン−１，２−ジオン；
１−｛２−［３−（４−フルオロフェニル）（１，２，４−オキサジアゾール−５−イル）］ピロリジニル｝−３，３−ジメチルペンタン−１，２−ジオン；
３，３−ジメチル−１−［２−（３−メチル（１，２，４−オキサジアゾール−５−イル））ピロリジニル］ペンタン−１，２−ジオン；
［１−（３，３−ジメチル−２−オキソペンタノイル）ピロリジン−２−イル］−Ｎ−［（メチルスルホニル）アミノ］−ホルムアミド；
［１−（３，３−ジメチル−２−オキソペンタノイル）ピロリジン−２−イル］−Ｎ−｛［（４−メチルフェニル）スルホニル］−アミノ｝ホルムアミド；
［１−（３，３−ジメチル−２−オキソペンタノイル）ピロリジン−２−イル］−Ｎ−｛［（４−フルオロフェニル）スルホニル］−アミノ｝ホルムアミド；
（２Ｓ）−３，３−ジメチル−１−［２−（５−スルホニル（４Ｈ−１，２，４−トリアゾール−３−イル））ピロリジニル］−ペンタン−１，２−ジオン；
（２Ｓ）−３，３−ジメチル−１−［２−（ピロリジニルメチル）ピロリジニル］−ペンタン−１，２−ジオン；
（２Ｓ）−Ｎ−｛（アミノチオキソメチル）アミノ｝［１−（３，３−ジメチル−２−オキソペンタノイル）ピロリジン−２−イル］ホルムアミド；
（２Ｓ）−１−［２−（ベンゾトリアゾール−１−イルカルボニル）ピロリジニル］−３，３−ジメチルペンタン−１，２−ジオン；
Ｎ−アミノ−２−［２−（Ｎ−アミノカルバモイル）ピロリジニル］−２−オキソエタンアミド；
２−［１−（３，３−ジメチル−２−オキソペンタノイル）−２−ピペリジル］酢酸；
１−（２−（［４−（２Ｈ−ベンゾ［３，４−ｄ］１，３−ジオキソレン−５−イルメチル）ピペラジニル］カルボニル）ピロリジニル）−３，３−ジメチルペンタン−１，２−ジオン；および
１−（２−（｛４−［ビス（４−フルオロフェニル）メチル］ピペラジニル｝カルボニル）ピロリジニル）−３，３−ジメチルペンタン−１，２−ジオン；
から選択される化合物を含み、
前記化合物を動物に投与して、損傷を受けた末梢神経の成長を刺激して動物における神経学上の障害を治療するため、神経再生を促進させるため、または神経変性を防止するための医薬組成物。
【請求項７】
神経学上の障害が、物理的傷害または疾患状態による末梢神経性障害、脳に対する物理的損傷、脊椎に対する物理的損傷、脳損傷に関連した発作、および神経変性に関連する神経学上の障害から選択される請求項６に記載の医薬組成物。
【請求項８】
神経学上の障害が、アルツハイマー病、パーキンソン病、筋萎縮性側索硬化症、三叉神経痛、舌咽神経痛、ベル麻痺、重症筋無力症、筋ジストロフィー、進行性筋萎縮、進行性延髄遺伝性筋萎縮、ヘルニア様、断裂もしくは脱出した無脊椎椎間板症候群、頚椎症、叢障害、胸郭出口破壊症候群、グライン−バーレ症候群、坐骨神経損傷から選択される請求項６に記載の医薬組成物。
【請求項９】
神経学上の障害が、アルツハイマー病である請求項６に記載の医薬組成物。
【請求項１０】
神経学上の障害が、パーキンソン病である請求項６に記載の医薬組成物。
【請求項１１】
神経学上の障害が、筋萎縮性側索硬化症である請求項６に記載の医薬組成物。
【請求項１２】
治療的に有効な量の、式（Ｉ）：
【化１】
2002531448.tif 000001
（式中、
ｎは、１−３である；
Ｘは、ＯまたはＳのいずれかである；
Ｒ１は、Ｃ１−Ｃ９直鎖または分岐鎖アルキル、Ｃ２−Ｃ９直鎖または分岐鎖アルケニル、アリール、ヘテロアリール、炭素環、または複素環から選択される；
Ｄは、結合、またはＣ１−Ｃ１０直鎖または分岐鎖アルキレン、Ｃ２−Ｃ１０アルケニレンまたはＣ２−Ｃ１０アルキニレンである；
Ｒ２は、以下の基：
【化２】
2002531448.tif 000002
から選択される；
前記アルキル、アルケニル、アルキニル、アルキレン、アルケニレン、アルキニレン、アリール、ヘテロアリール、炭素環、複素環、または前記Ｒ２は、任意にＲ３から選択される１つまたはそれ以上の置換基で置換されており、ここで、
Ｒ３は、水素、ヒドロキシ、ハロ、ハロアルキル、チオカルボニル、アルコキシ、アルケノキシ、アルキルアリールオキシ、アリールオキシ、アリールアルキルオキシ、シアノ、ニトロ、イミノ、アルキルアミノ、アミノアルキル、スルフヒドリル、チオアルキル、アルキルチオ、スルホニル、Ｃ１−Ｃ６直鎖または分岐鎖アルキル、Ｃ２−Ｃ６直鎖または分岐鎖アルケニルまたはアルキニル、アリール、アラルキル、ヘテロアリール、炭素環、複素環、またはＣＯ２Ｒ７（式中、Ｒ７は、水素またはＣ１−Ｃ９直鎖または分岐鎖アルキルまたはＣ２−Ｃ９直鎖または分岐鎖アルケニルである）である）
の化合物、またはその医薬上許容し得る塩、そのエステルまたはその溶媒和物を含み、前記化合物を動物に投与してハンティングトン病を治療するための医薬組成物。
【請求項１３】
前記化合物が、化合物１−１３９；
（２Ｓ）−１−（１，２−ジオキソ−３，３−ジメチルペンチル）−２−ヒドロキシメチルピロリジン；
（２Ｓ）−１−（１，２−ジオキソ−３，３−ジメチルペンチル）−２−ピロリジンテトラゾール；
（２Ｓ）−１−（１，２−ジオキソ−３，３−ジメチルペンチル）−２−ピロリジンカルボニトリル；
（２Ｓ）−１−（１，２−ジオキソ−３，３−ジメチルペンチル）−２−アミノカルボニルピペリジン；
［１−（３，３−ジメチル−２−オキソペンタノイル）ピロリジン−２−イル］−Ｎ−（２−チエニルカルボニルアミノ）−ホルムアミド；
３，３−ジメチル−１−（２−［（４−ニトロフェノキシ）メチル］ピロリジニル）ペンタン−１，２−ジオン；
２−［１−（３，３−ジメチル−２−オキソペンタノイル）ピロリジン−２−イル］エタンニトリル；
１−［２−（３−エチル（１，２，４−オキサジアゾール−５−イル））ピロリジニル］−３，３−ジメチルペンタン−１，２−ジオン；
１−｛２−［３−（４−フルオロフェニル）（１，２，４−オキサジアゾール−５−イル）］ピロリジニル｝−３，３−ジメチルペンタン−１，２−ジオン；
３，３−ジメチル−１−［２−（３−メチル（１，２，４−オキサジアゾール−５−イル））ピロリジニル］ペンタン−１，２−ジオン；
［１−（３，３−ジメチル−２−オキソペンタノイル）ピロリジン−２−イル］−Ｎ−［（メチルスルホニル）アミノ］−ホルムアミド；
［１−（３，３−ジメチル−２−オキソペンタノイル）ピロリジン−２−イル］−Ｎ−｛［（４−メチルフェニル）スルホニル］−アミノ｝ホルムアミド；
［１−（３，３−ジメチル−２−オキソペンタノイル）ピロリジン−２−イル］−Ｎ−｛［（４−フルオロフェニル）スルホニル］−アミノ｝ホルムアミド；
（２Ｓ）−３，３−ジメチル−１−［２−（５−スルホニル（４Ｈ−１，２，４−トリアゾール−３−イル））ピロリジニル］−ペンタン−１，２−ジオン；
（２Ｓ）−３，３−ジメチル−１−［２−（ピロリジニルメチル）ピロリジニル］−ペンタン−１，２−ジオン；
（２Ｓ）−Ｎ−｛（アミノチオキソメチル）アミノ｝［１−（３，３−ジメチル−２−オキソペンタノイル）ピロリジン−２−イル］ホルムアミド；
（２Ｓ）−１−［２−（ベンゾトリアゾール−１−イルカルボニル）ピロリジニル］−３，３−ジメチルペンタン−１，２−ジオン；
Ｎ−アミノ−２−［２−（Ｎ−アミノカルバモイル）ピロリジニル］−２−オキソエタンアミド；
２−［１−（３，３−ジメチル−２−オキソペンタノイル）−２−ピペリジル］酢酸；
１−（２−（［４−（２Ｈ−ベンゾ［３，４−ｄ］１，３−ジオキソレン−５−イルメチル）ピペラジニル］カルボニル）ピロリジニル）−３，３−ジメチルペンタン−１，２−ジオン；および
１−（２−（｛４−［ビス（４−フルオロフェニル）メチル］ピペラジニル｝カルボニル）ピロリジニル）−３，３−ジメチルペンタン−１，２−ジオン；
から選択される化合物である請求項１２に記載の医薬組成物。
【請求項１４】
さらに、追加の神経栄養性因子を包含することを特徴とする請求項６〜１３のいずれかに記載の医薬組成物。
【請求項１５】
前記追加の神経栄養性因子が、神経栄養性成長因子、脳由来成長因子、膠由来成長因子、繊毛神経栄養性因子、インスリン成長因子およびその活性切断誘導体、酸性線維芽細胞成長因子、塩基性線維芽細胞成長因子、血小板由来成長因子、ニューロトロピン−３およびニューロトロピン４／５から選択される請求項１４に記載の医薬組成物。
【請求項１６】
治療的に有効な量の、
（２Ｓ）−１−（１，２−ジオキソ−３，３−ジメチルペンチル）−２−ヒドロキシメチルピロリジン；
（２Ｓ）−１−（１，２−ジオキソ−３，３−ジメチルペンチル）−２−ピロリジンテトラゾール；
（２Ｓ）−１−（１，２−ジオキソ−３，３−ジメチルペンチル）−２−ピロリジンカルボニトリル；
（２Ｓ）−１−（１，２−ジオキソ−３，３−ジメチルペンチル）−２−アミノカルボニルピペリジン；
［１−（３，３−ジメチル−２−オキソペンタノイル）ピロリジン−２−イル］−Ｎ−（２−チエニルカルボニルアミノ）−ホルムアミド；
３，３−ジメチル−１−（２−［（４−ニトロフェノキシ）メチル］ピロリジニル）ペンタン−１，２−ジオン；
２−［１−（３，３−ジメチル−２−オキソペンタノイル）ピロリジン−２−イル］エタンニトリル；
１−［２−（３−エチル（１，２，４−オキサジアゾール−５−イル））ピロリジニル］−３，３−ジメチルペンタン−１，２−ジオン；
１−｛２−［３−（４−フルオロフェニル）（１，２，４−オキサジアゾール−５−イル）］ピロリジニル｝−３，３−ジメチルペンタン−１，２−ジオン；
３，３−ジメチル−１−［２−（３−メチル（１，２，４−オキサジアゾール−５−イル））ピロリジニル］ペンタン−１，２−ジオン；
［１−（３，３−ジメチル−２−オキソペンタノイル）ピロリジン−２−イル］−Ｎ−［（メチルスルホニル）アミノ］−ホルムアミド；
［１−（３，３−ジメチル−２−オキソペンタノイル）ピロリジン−２−イル］−Ｎ−｛［（４−メチルフェニル）スルホニル］−アミノ｝ホルムアミド；
［１−（３，３−ジメチル−２−オキソペンタノイル）ピロリジン−２−イル］−Ｎ−｛［（４−フルオロフェニル）スルホニル］−アミノ｝ホルムアミド；
（２Ｓ）−３，３−ジメチル−１−［２−（５−スルホニル（４Ｈ−１，２，４−トリアゾール−３−イル））ピロリジニル］−ペンタン−１，２−ジオン；
（２Ｓ）−３，３−ジメチル−１−［２−（ピロリジニルメチル）ピロリジニル］−ペンタン−１，２−ジオン；
（２Ｓ）−Ｎ−｛（アミノチオキソメチル）アミノ｝［１−（３，３−ジメチル−２−オキソペンタノイル）ピロリジン−２−イル］ホルムアミド；
（２Ｓ）−１−［２−（ベンゾトリアゾール−１−イルカルボニル）ピロリジニル］−３，３−ジメチルペンタン−１，２−ジオン；
Ｎ−アミノ−２−［２−（Ｎ−アミノカルバモイル）ピロリジニル］−２−オキソエタンアミド；
２−［１−（３，３−ジメチル−２−オキソペンタノイル）−２−ピペリジル］酢酸；
１−（２−（［４−（２Ｈ−ベンゾ［３，４−ｄ］１，３−ジオキソレン−５−イルメチル）ピペラジニル］カルボニル）ピロリジニル）−３，３−ジメチルペンタン−１，２−ジオン；および
１−（２−（｛４−［ビス（４−フルオロフェニル）メチル］ピペラジニル｝カルボニル）ピロリジニル）−３，３−ジメチルペンタン−１，２−ジオン；
から選択される化合物を含み、
前記化合物を動物に投与して、脱毛症を治療するため、または毛髪成長を促進させるための医薬組成物。
【請求項１７】
治療的に有効な量の、
（２Ｓ）−１−（１，２−ジオキソ−３，３−ジメチルペンチル）−２−ヒドロキシメチルピロリジン；
（２Ｓ）−１−（１，２−ジオキソ−３，３−ジメチルペンチル）−２−ピロリジンテトラゾール；
（２Ｓ）−１−（１，２−ジオキソ−３，３−ジメチルペンチル）−２−ピロリジンカルボニトリル；
（２Ｓ）−１−（１，２−ジオキソ−３，３−ジメチルペンチル）−２−アミノカルボニルピペリジン；
［１−（３，３−ジメチル−２−オキソペンタノイル）ピロリジン−２−イル］−Ｎ−（２−チエニルカルボニルアミノ）−ホルムアミド；
３，３−ジメチル−１−（２−［（４−ニトロフェノキシ）メチル］ピロリジニル）ペンタン−１，２−ジオン；
２−［１−（３，３−ジメチル−２−オキソペンタノイル）ピロリジン−２−イル］エタンニトリル；
１−［２−（３−エチル（１，２，４−オキサジアゾール−５−イル））ピロリジニル］−３，３−ジメチルペンタン−１，２−ジオン；
１−｛２−［３−（４−フルオロフェニル）（１，２，４−オキサジアゾール−５−イル）］ピロリジニル｝−３，３−ジメチルペンタン−１，２−ジオン；
３，３−ジメチル−１−［２−（３−メチル（１，２，４−オキサジアゾール−５−イル））ピロリジニル］ペンタン−１，２−ジオン；
［１−（３，３−ジメチル−２−オキソペンタノイル）ピロリジン−２−イル］−Ｎ−［（メチルスルホニル）アミノ］−ホルムアミド；
［１−（３，３−ジメチル−２−オキソペンタノイル）ピロリジン−２−イル］−Ｎ−｛［（４−メチルフェニル）スルホニル］−アミノ｝ホルムアミド；
［１−（３，３−ジメチル−２−オキソペンタノイル）ピロリジン−２−イル］−Ｎ−｛［（４−フルオロフェニル）スルホニル］−アミノ｝ホルムアミド；
（２Ｓ）−３，３−ジメチル−１−［２−（５−スルホニル（４Ｈ−１，２，４−トリアゾール−３−イル））ピロリジニル］−ペンタン−１，２−ジオン；
（２Ｓ）−３，３−ジメチル−１−［２−（ピロリジニルメチル）ピロリジニル］−ペンタン−１，２−ジオン；
（２Ｓ）−Ｎ−｛（アミノチオキソメチル）アミノ｝［１−（３，３−ジメチル−２−オキソペンタノイル）ピロリジン−２−イル］ホルムアミド；
（２Ｓ）−１−［２−（ベンゾトリアゾール−１−イルカルボニル）ピロリジニル］−３，３−ジメチルペンタン−１，２−ジオン；
Ｎ−アミノ−２−［２−（Ｎ−アミノカルバモイル）ピロリジニル］−２−オキソエタンアミド；
２−［１−（３，３−ジメチル−２−オキソペンタノイル）−２−ピペリジル］酢酸；
１−（２−（［４−（２Ｈ−ベンゾ［３，４−ｄ］１，３−ジオキソレン−５−イルメチル）ピペラジニル］カルボニル）ピロリジニル）−３，３−ジメチルペンタン−１，２−ジオン；および
１−（２−（｛４−［ビス（４−フルオロフェニル）メチル］ピペラジニル｝カルボニル）ピロリジニル）−３，３−ジメチルペンタン−１，２−ジオン；
から選択される化合物を含み、
前記化合物を動物に投与して、視覚障害を治療するため、視覚を改善するため、加齢による記憶損傷を治療するため、または記憶作用を増強するための医薬組成物。
【請求項１８】
前記視覚障害が、視覚損傷、眼窩障害、涙器の障害、眼瞼の障害、結膜の障害、角膜の障害、白内障、眼球血管膜の障害、網膜の障害、視神経または視覚路の障害、遊離ラジカル誘導眼障害および疾患、免疫学的に依存した眼障害および疾患、眼に対する物理的損傷、および眼疾患、眼障害または眼損傷の徴候および合併症からなる群から選択される請求項１７に記載の医薬組成物。
【請求項１９】
任意の眼科学上の障害、疾患または損傷の不在の下で、動物において自然発生した視覚を改善するための請求項１７に記載の医薬組成物。
【請求項２０】
前記化合物が、有効な量の、動物における視覚障害を治療する、視力を改善する、記憶損傷を治療する、または記憶作用を増強するのに有用な１つまたはそれ以上の因子と組合わせて動物に投与される請求項１７に記載の医薬組成物。
【請求項２１】
前記１つまたはそれ以上の因子が、免疫抑制剤、創傷治癒剤、抗緑内障剤、神経栄養性因子、成長因子、出血または血管新生を制限または抑制するのに効果的な化合物、および抗酸化剤からなる群から選択される請求項２０に記載の医薬組成物。
【請求抗２２】
治療的に有効な量の、
（２Ｓ）−１−（１，２−ジオキソ−３，３−ジメチルペンチル）−２−ヒドロキシメチルピロリジン；
（２Ｓ）−１−（１，２−ジオキソ−３，３−ジメチルペンチル）−２−ピロリジンテトラゾール；
（２Ｓ）−１−（１，２−ジオキソ−３，３−ジメチルペンチル）−２−ピロリジンカルボニトリル；
（２Ｓ）−１−（１，２−ジオキソ−３，３−ジメチルペンチル）−２−アミノカルボニルピペリジン；
［１−（３，３−ジメチル−２−オキソペンタノイル）ピロリジン−２−イル］−Ｎ−（２−チエニルカルボニルアミノ）−ホルムアミド；
３，３−ジメチル−１−（２−［（４−ニトロフェノキシ）メチル］ピロリジニル）ペンタン−１，２−ジオン；
２−［１−（３，３−ジメチル−２−オキソペンタノイル）ピロリジン−２−イル］エタンニトリル；
１−［２−（３−エチル（１，２，４−オキサジアゾール−５−イル））ピロリジニル］−３，３−ジメチルペンタン−１，２−ジオン；
１−｛２−［３−（４−フルオロフェニル）（１，２，４−オキサジアゾール−５−イル）］ピロリジニル｝−３，３−ジメチルペンタン−１，２−ジオン；
３，３−ジメチル−１−［２−（３−メチル（１，２，４−オキサジアゾール−５−イル））ピロリジニル］ペンタン−１，２−ジオン；
［１−（３，３−ジメチル−２−オキソペンタノイル）ピロリジン−２−イル］−Ｎ−［（メチルスルホニル）アミノ］−ホルムアミド；
［１−（３，３−ジメチル−２−オキソペンタノイル）ピロリジン−２−イル］−Ｎ−｛［（４−メチルフェニル）スルホニル］−アミノ｝ホルムアミド；
［１−（３，３−ジメチル−２−オキソペンタノイル）ピロリジン−２−イル］−Ｎ−｛［（４−フルオロフェニル）スルホニル］−アミノ｝ホルムアミド；
（２Ｓ）−３，３−ジメチル−１−［２−（５−スルホニル（４Ｈ−１，２，４−トリアゾール−３−イル））ピロリジニル］−ペンタン−１，２−ジオン；
（２Ｓ）−３，３−ジメチル−１−［２−（ピロリジニルメチル）ピロリジニル］−ペンタン−１，２−ジオン；
（２Ｓ）−Ｎ−｛（アミノチオキソメチル）アミノ｝［１−（３，３−ジメチル−２−オキソペンタノイル）ピロリジン−２−イル］ホルムアミド；
（２Ｓ）−１−［２−（ベンゾトリアゾール−１−イルカルボニル）ピロリジニル］−３，３−ジメチルペンタン−１，２−ジオン；
Ｎ−アミノ−２−［２−（Ｎ−アミノカルバモイル）ピロリジニル］−２−オキソエタンアミド；
２−［１−（３，３−ジメチル−２−オキソペンタノイル）−２−ピペリジル］酢酸；
１−（２−（［４−（２Ｈ−ベンゾ［３，４−ｄ］１，３−ジオキソレン−５−イルメチル）ピペラジニル］カルボニル）ピロリジニル）−３，３−ジメチルペンタン−１，２−ジオン；および
１−（２−（｛４−［ビス（４−フルオロフェニル）メチル］ピペラジニル｝カルボニル）ピロリジニル）−３，３−ジメチルペンタン−１，２−ジオン；
から選択される化合物を含み、
前記化合物を動物に投与して、感覚神経性聴覚損失を治療するための医薬組成物。
【請求項２３】
前記化合物が、非免疫抑制性である請求項１２〜１５のいずれかに記載の医薬組成物。
【請求項２４】
実質的に以上に記載されている化合物。
【請求項２５】
実質的に以上に記載されている医薬組成物。